(57)【要約】【課題】鋼材等の重量搬送物をチエーンコンベヤにより振分搬送する装置であって、その構成を簡略化し、設備費を軽減させるとともに、使い勝手、メンテナンス性等を向上させる。【解決手段】搬送方向を正逆転可能な振分用チエーンコンベヤ５を搬入用ローラーコンベヤ１と交差するように設け、該振分用チエーンコンベヤの両端部と重畳するように夫々搬出用チエーンコンベヤ６ａ，６ｂ，７ａ，７ｂを設け、該振分用チエーンコンベヤをその搬送長の一端部より外側に設けた水平な支軸８を支点として傾動自在に支持するとともに、該振分用チエーンコンベヤを傾動させその搬送面を前記搬入用ローラーコンベヤおよび搬出用チエーンコンベヤの搬送面よりも高くまたは低くにできる傾動機構２２を設けた。【選択図】  図１
2005008345.tif 000002
【特許請求の範囲】
【請求項１】
搬送方向を正逆転可能な振分用チエーンコンベヤを搬入用ローラーコンベヤと交差するように設け、該振分用チエーンコンベヤの両端部と重畳するように夫々搬出用チエーンコンベヤを設け、該振分用チエーンコンベヤをその搬送長の一端部より外側に設けた水平な支軸を支点として傾動自在に支持するとともに、該振分用チエーンコンベヤを傾動させその搬送面を前記搬入用ローラーコンベヤおよび搬出用チエーンコンベヤの搬送面よりも高くまたは低くにできる傾動機構を設けたことを特徴とするチエーンコンベヤによる振分搬送装置。
【請求項２】
請求項１に記載した振分用チエーンコンベヤの支軸を該振分用チエーンコンベヤの駆動軸とし、該駆動軸に正逆転可能なモータを連繋してなることを特徴としたチエーンコンベヤによる振分搬送装置。
【発明の詳細な説明】
【０００１】
【発明の属する技術分野】
本発明は重量搬送物をチエーンコンベヤにより振分搬送する装置に関するものである。
【０００２】
【従来の技術】
【特許文献１】
特開２００１−１９２１０９号公報
【０００３】
特許文献１に示されているように鋼材等の重量搬送物を搬送するのに従来からチエーンコンベヤが使用されている。そして、所要搬送方向に搬送物を振分するに際し、チエーンコンベヤを垂直に昇降動させ搬送物を目的とするコンベヤに移載する構成も従来から知られている。
【０００４】
【発明が解決しようとする課題】
ところで従来のチエーンコンベヤによる振分搬送装置では、チエーンコンベヤを安定して昇降動させるために油圧シリンダ等のアクチュエータを複数本必要とするほか、チエーンコンベヤの支柱を垂直にガイドするリニヤレールを複数本必要とするので、設備費が高くなり、なおかつチエーンコンベヤ上に重量搬送物が常にバランスよく載置されないと水平を維持したスムースな昇降動ができず、故障の原因となるので、使い勝手が悪く、メンテナンスが容易でない等の問題があった。
【０００５】
そこで本発明は、チエーンコンベヤを垂直に昇降動させることのない特有の構造を持つ振分搬送装置を提供し、上記課題を解決しようとするものである。
【０００６】
【課題を解決するための手段】
そのために本発明のチエーンコンベヤによる振分搬送装置は、搬送方向を正逆転可能な振分用チエーンコンベヤを搬入用ローラーコンベヤと交差するように設け、該振分用チエーンコンベヤの両端部と重畳するように夫々搬出用チエーンコンベヤを設け、該振分用チエーンコンベヤをその搬送長の一端部より外側に設けた水平な支軸を支点として傾動自在に支持するとともに、該振分用チエーンコンベヤを傾動させその搬送面を前記搬入用ローラーコンベヤおよび搬出用チエーンコンベヤの搬送面よりも高くまたは低くにできる傾動機構を設けたことを特徴とする。
このため鋼材のような重量搬送物でも常にスムースな振分作動がなされ、振分用チエーンコンベヤがバランスを崩すことによる故障発生のおそれもなくメンテナンスも容易となる。
【０００７】
また、本発明は上記振分搬送装置において、振分用チエーンコンベヤの支軸を該振分用チエーンコンベヤの駆動軸とし、該駆動軸に正逆転可能なモータを連繋してなることを特徴とする。
このため振分用チエーンコンベヤの駆動原を地上に設置することができ、傾動させる要のある振分用チエーンコンベヤの重量が軽減される。
【０００８】
【発明の実施の形態】
次に本発明の実施形態を図面に従い説明する。図１はこの振分搬送装置の側面図、図２は平面図、図３は図２のＡ−Ａ線断面図、図４は図１の作動状態図である。図２の平面図に示されるように、１は軸受３により軸支された駆動ローラ２を一直線上に適宜間隔にて設けることにより、図４に示した状態にて鋼材等の搬送物４を矢印ａの方向に搬送し得る搬入用ローラーコンベヤである。５は該搬入用ローラーコンベヤの駆動ローラ２間にコンベヤメンバー５ａ，５ｂ，５ｃを配置することにより該搬入用ローラーコンベヤと搬送方向が交差するように設けられた振分用チエーンコンベヤ、６ａ，６ｂは該振分用チエーンコンベヤ５の一端部と搬送部が重畳するようにコンベヤメンバー５ａ，５ｂ，５ｃ間に配置された搬出用チエーンコンベヤ、７ａ，７ｂは該振分用チエーンコンベヤ５の他端部と搬送部が重畳するようにコンベヤメンバー５ａ，５ｂ，５ｃ間に配置されたもう一方の搬出用チエーンコンベヤである。
【０００９】
８は複数の軸受９により前記搬入用ローラーコンベヤ１と平行に支持された支軸、１０は地上に設置され該支軸８を回転動させるためにチェーン伝導機構１１を介して連繋された正逆転可能なモータで、該支軸８は後述するように振分用チエーンコンベヤ５の駆動軸および傾動支点を兼ねる。即ち、振分用チエーンコンベヤ５を構成する各コンベヤメンバー５ａ，５ｂ，５ｃは、一対の板状フレーム１２ａ，１２ｂが側面から見て水平方向に延びる延面部１３ａと該延面部の一端から下傾方向に延びる下傾面部１３ｂとから略へ字状に形成され、該下傾面部１３ｂの下端部寄りに前記支軸８を貫挿し、該板状フレーム１２ａ，１２ｂ間に位置するように該支軸８にスプロケット１４を固着し、延面部１３ａの先端部および後端部には同じく該板状フレーム１２ａ，１２ｂ間に位置するようにスプロケット１５およびスプロケット２０を回転自在に支持する。また、板状フレーム１２ａ，１２ｂにおける延面部１３ａの直線状の上縁辺に支持レール１６を固着し、スプロケット１４，１５，２０に巻掛した無端チエーン１７を該支持レール１６上に摺動自在に乗架する。なお、１８，１９は延面部１３ａの直線状の上縁辺の両端部に突設されたストッパである。また、２１は無端チエーン１７を周回状に案内するため板状フレーム１２ａ，１２ｂの内面に固着されたガイドレールを示す。
【００１０】
また、２２は該振分用チエーンコンベヤ５を支軸８を支点として傾動させるための傾動機構で、軸受２３により回転自在に支持された伝動軸２４にクランク２５を固着し、該クランクの先端に油圧シリンダ２６のピストンロッドをピン２７により枢着するとともに、該伝動軸２４に該クランク２５と略直交状なるようにクランク２８を固着し、該クランク２８の先端にリンク２９をピン３０により枢着し該リンク２９の他端を板状フレーム１２ａ，１２ｂの延面部１３ａの下辺部にピン３１により枢着してなる。
【００１１】
また、前記搬出用チエーンコンベヤ６ａ，６ｂおよび搬出用チエーンコンベヤ７ａ，７ｂは無端チエーン２８の外周部にフラット板を固着してなるフラットトップコンベヤである。なお、この搬出用チエーンコンベヤは矢印ｂで示した方向に駆動されるものであるがその駆動源は図示省略する。また、前記搬入用ローラーコンベヤ１の駆動源についても図示省略した。
【００１２】
上記振分用チエーンコンベヤ５は、図１に示したように支持レール１６が水平に維持された状態では該コンベヤの搬送面が搬入用ローラーコンベヤ１および搬出用チエーンコンベヤ６ａ，６ｂ，７ａ，７ｂの搬送面よりも高く維持される。一方、油圧シリンダ２６のピストンロッドを伸張させ図４に示したように該振分用チエーンコンベヤ５を傾動させたときは、該振分用チエーンコンベヤ５の搬送面は搬入用ローラーコンベヤ１および搬出用チエーンコンベヤ６ａ，６ｂ，７ａ，７ｂの搬送面よりも低くできるようにしている。
【００１３】
このように構成した振分搬送装置では、図４に示したように振分用チエーンコンベヤ５を傾動させることによって該コンベヤの搬送面を搬入用ローラーコンベヤ１の搬送面よりも低くし、該搬入用ローラーコンベヤ１に支持された鋼材等の搬送物４を該振分用チエーンコンベヤ５の上部に搬入する。そして、油圧シリンダ２６のピストンロッドを収縮させ該振分用チエーンコンベヤ５を図１に示した支持レール１６を水平状態に戻すことで該振分用チエーンコンベヤ５の搬送面上（無端チエーン１７上）に該搬送物４を移載し、この状態で前記モータ１０を回転させスプロケット１４を介し無端チエーン１７を駆動することにより、図５（イ）に示したように該無端チエーン１７上の搬送物４を搬出用チエーンコンベヤ６ａ，６ｂ方向に搬送しストッパ１８に当接させることにより該搬送物４を停止させたり、図５（ロ）に示したように搬出用チエーンコンベヤ７ａ，７ｂ方向に搬送しストッパ１９に当接させることにより該搬送物４を停止させることができる。そして油圧シリンダ２６のピストンロッドを伸張させ該振分用チエーンコンベヤ５を図４に示したように傾動させることで、該搬送物４を図５（ハ）（ニ）に示したように搬出用チエーンコンベヤ６ａ，６ｂ上または搬出用チエーンコンベヤ７ａ，７ｂ上に移載することができる。こうすることによって搬入用ローラーコンベヤ１により搬入された搬送物４を必要に応じ搬送方向を搬出用チエーンコンベヤ６ａ，６ｂ上または搬出用チエーンコンベヤ７ａ，７ｂ上に振り分けることができる。
【００１４】
このように本発明の振分搬送装置は、振分用チエーンコンベヤ５をその搬送長の一端部より外側に設けた水平な支軸８を支点として傾動自在に支持したものであるので、上記傾動機構により該振分用チエーンコンベヤの搬送面を搬入用ローラーコンベヤ１および搬出用チエーンコンベヤ６ａ，６ｂ，７ａ，７ｂの搬送面よりも容易に高くまたは低くにすることができる。このため該振分用チエーンコンベヤの搬送方向を所要搬送方向に応じて正逆転させるだけで、搬送物４を搬出用チエーンコンベヤ６ａ，６ｂまたは搬出用チエーンコンベヤ７ａ，７ｂのいずれにもスムースに移載することができる。
【００１５】
【発明の効果】
以上のように本発明に係るチエーンコンベヤによる振分搬送装置は、振分用チエーンコンベヤをその搬送長の一端部より外側に設けた水平な支軸を支点として傾動させることにより搬送物が移載されるようにしたので、振分用チエーンコンベヤを垂直に昇降動させる構造のようにリニヤガイドを要さず構造が簡単で設備費が軽減されるとともに、鋼材のような重量搬送物でも常にスムースな作動がなされ、バランスを崩すことによる故障発生のおそれが少なく、メンテナンスも容易となるなどの効果がある。また、振分用チエーンコンベヤの支軸を該振分用チエーンコンベヤの駆動軸とし、該駆動軸に正逆転可能なモータを連繋することにより、該振分用チエーンコンベヤの駆動原を地上に設置でき、振分用チエーンコンベヤの重量が軽減されるので一層スムースな傾動を可能にする。
【図面の簡単な説明】
【図１】本発明に係るチエーンコンベヤによる振分搬送装置の実施形態を示した側面図。
【図２】図１の振分搬送装置の平面図。
【図３】図２のＡ−Ａ線断面図。
【図４】図１の振分搬送装置の作動状態図。
【図５】本発明に係るチエーンコンベヤによる振分搬送装置の作動状態図。
【符号の説明】
１                  搬入用ローラーコンベヤ
４                  搬送物
５                  振分用チエーンコンベヤ
５ａ，５ｂ，５ｃ    コンベヤメンバー
６ａ，６ｂ          搬出用チエーンコンベヤ
７ａ，７ｂ          搬出用チエーンコンベヤ
８                  支軸
１０                モータ
１２ａ，１２ｂ      板状フレーム
１４                スプロケット
１５                スプロケット
１６                支持レール
１８，１９          ストッパ
２２                傾動機構
２６                油圧シリンダ
【図１】
2005008345.tif 000003
【図２】
2005008345.tif 000004
【図３】
2005008345.tif 000005
【図４】
2005008345.tif 000006
【図５】
2005008345.tif 000007